(57)【要約】  【課題】推奨する針管突出距離での使用が優先される一方で、術者の判断の元、針管の突出距離を推奨される針管突出距離よりも延長させた状態にして穿刺を行える使い勝手に優れた超音波用穿刺針を提供すること。  【解決手段】本体部材２１の中途部には周溝２１ａが形成され、周溝２１ａには開口部２９ａを有するＣリング状部材２９が着脱自在に配設される。Ｃリング状部材２９は、弾性を有している。開口部２９ａの幅寸法は、周溝２１ａの底部面内径寸法より小さい。Ｃリング状部材２９の開口部２９ａを弾性力に抗して拡開させて周溝２１ａに押し込むことによって、Ｃリング状部材２９は周溝２１ａに圧入配置される。圧入配置された状態のＣリング状部材２９は開口部２９ａを弾性力に抗して広げることによって周溝２１ａから取り外せる。【選択図】図４
2005137816.tif 000002
【特許請求の範囲】
【請求項１】
処置具挿通用チャンネルに挿通されるシースの基端部が固定される操作部本体と、前記シース内に挿通配置されて生体組織に穿刺される針管の基端部が固定される、前記操作部本体の摺動部に対して摺動自在な、スライダとを具備する超音波用穿刺針であって、
前記摺動部の中途部に、前記スライダの移動距離を所定値に規制するスライダ移動規制手段を設けたことを特微とする超音波用穿刺針。
【請求項２】
前記スライダ移動規制手段は、前記スライダの先端面が当接する移動規制部材であって、
この移動規制部材は、前記摺動部の中途部所定位置に形成される長手軸方向に対して直交する周溝に着脱自在に配置されることを特微とする請求項１に記載の超音波用穿刺針。
【発明の詳細な説明】
【技術分野】
【０００１】
本発明は、超音波断層像観察下において、目的観察部位に針管を穿刺して検体の採取等に使用される超音波用穿刺針に関する。
【背景技術】
【０００２】
近年、超音波内視鏡の処置具挿通用チャンネル（以下、処置具チャンネルと略記する）を介して体腔内に超音波用穿刺針（以下、穿刺針と略記する）を導入し、超音波内視鏡による超音波断層像観察下において前記穿刺針を構成する針管を病変組織に対して複数穿刺して、生体組織を採取することによって病理確定診断が行われている。
【０００３】
このような手技に用いられる穿刺針として、例えば特開２００３−１９０１７９号公報には、超音波画像下で、針管の先端部の位置を明瞭に描出させて、目的部位への穿刺を確実に行える、超音波用穿刺針が開示されている。
【０００４】
一般に、超音波用穿刺針では、操作部本体に摺動自在に配置されているストッパー部の配置位置を適宜調整することによって、針管の突出距離を摺動範囲内で自由に設定することができるようになっている。
【０００５】
そして、超音波用穿刺針を使用するに当たって、目的観察部位に対して穿刺を行う場合、図１２に示すように超音波用穿刺針に設けられている針管１０１を超音波内視鏡１００の処置具出口（不図示）から所定距離だけ突出させて、超音波走査範囲内の例えばクロスハッチングで示す目的観察部位に、穿刺することを推奨している。
【特許文献１】特開２００３−１９０１７９号公報
【発明の開示】
【発明が解決しようとする課題】
【０００６】
しかしながら、患部と思われる実線に示す目的観察部位が前記クロスハッチングで示す位置より遠くに位置する場合、術者の判断の元、前記ストッパー部の位置を調整して針管の突出距離を長く設定して、図中の破線に示すように針管１０１を目的観察部位に穿刺していた。
【０００７】
また、術者によっては、針管１０１に所望の曲がり癖をつけ、図中の一点鎖線に示すように処置具出口（不図示）から曲線的に突出させて、患部と思われる破線に示す目的観察部位に穿刺を行うことがある。このような場合も、前述のように術者の判断の元、針管１０１の突出距離を長くするように調整を行っていた。
【０００８】
つまり、超音波用穿刺針においては、針管の突出距離を設定する際、所定突出距離が推奨されているにも関わらず、術者の判断の元、ストッパー部の配置位置を調整して突出距離が設定されていた。
【０００９】
本発明は、上記事情に鑑みてなされたものであり、推奨する針管突出距離での使用が優先される一方で、術者の判断の元、針管の突出距離を推奨される針管突出距離よりも延長させた状態にして穿刺を行える使い勝手に優れた超音波用穿刺針を提供することを目的にしている。
【課題を解決するための手段】
【００１０】
本発明の超音波用穿刺針は、処置具挿通用チャンネルに挿通されるシースの基端部が固定される操作部本体と、前記シース内に挿通配置されて生体組織に穿刺される針管の基端部が固定される、前記操作部本体の摺動部に対して摺動自在な、スライダとを具備する超音波用穿刺針であって、
前記摺動部の中途部に、前記スライダの移動距離を所定値に規制するスライダ移動規制手段を設けている。
【００１１】
また、前記スライダ移動規制手段は、前記スライダの先端面が当接する移動規制部材であって、
この移動規制部材は、前記摺動部の中途部所定位置に形成される長手軸方向に対して直交する周溝に着脱自在に配置される。
【００１２】
この構成によれば、摺動部の中途部にスライダ規制手段を設けることによってスライダの移動距離が規制される。そして、その規制位置を、突出距離を考慮して設定することによって、スライダに固定されている針管の突出距離が推奨される距離に設定される。
【００１３】
また、周溝に移動規制部材が配置されている状態においては、この移動規制部材にスライダの先端面が当接することによってスライダに固定されている針管の突出距離が例えば推奨された突出距離となる。一方、この周溝から移動規制部材が取り外されることによって、スライダの移動規制が解除される。すると、スライダに固定されている針管の突出距離が推奨された突出距離に対して延長可能になる。
【発明の効果】
【００１４】
本発明によれば、推奨する針管突出距離での使用が優先される一方で、術者の判断の元、針管の突出距離を推奨される針管突出距離よりも延長させた状態にして穿刺を行える使い勝手に優れた超音波用穿刺針を提供することができる。
【発明を実施するための最良の形態】
【００１５】
以下、図面を参照して本発明の実施の形態を説明する。  
図１ないし図１１は本発明の一実施形態に係り、図１は超音波用穿刺針の構成を説明する図、図２は操作部支持パイプ部材を説明する図、図３はシースと折れ止めパイプとの関係を説明する図、図４は周溝とＣリング状部材との関係を説明する図、図５は突起部とスライダとの関係を説明する図、図６はＣリング状部材を周溝に配置させた状態における超音波用穿刺針の作用を説明する図、図７はＣリング状部材を周溝から取り外した状態における超音波用穿刺針の作用を説明する図、図８は周溝に配置される他の構成のＣリング状部材及び周溝の他の構成例を説明する図、図９は溝部を設けた本体部材の構成とストッパ部との関係とを説明する図、図１０は溝部を設けた本体部材の断面図、図１１は締結用段部を設けた本体部材の構成とストッパ部との関係を説明する図である。
【００１６】
なお、図９（ａ）は本体部材の上面図、図９（ｂ）は本体部材の長手方向断面図、図９（ｃ）は本体部材の下面図、図１０（ａ）は図９（ｂ）のＡ−Ａ線断面図、図１０（ｂ）は図９（ｂ）のＢ−Ｂ線断面図、図１０（ｃ）は図９（ｂ）のＣ−Ｃ線断面図、図１１（ａ）は本体部材の上面図、図１１（ｂ）は本体部材の長手方向断面図、図１１（ｃ）は図１１（ａ）のＤ−Ｄ線断面図である。
【００１７】
図１に示すように本実施形態の超音波用穿刺針１は、例えば超音波内視鏡（不図示）の処置具挿通用チャンネル（以下、処置具チャンネルと略記する）に挿入される挿入部２と、この挿入部２の基端部に配置された把持部を兼ねる操作部１０とで主に構成されている。本実施形態においては超音波用穿刺針１は使い捨てタイプとして構成している。
【００１８】
前記挿入部２は、シース３と、針管４と、スタイレット５とで主に構成されている。◎  前記シース３は前記挿入部２の外装を構成する。このシース３は、コスト低減が可能な、例えばポリエーテルサルホンやテフロン（登録商標）などの樹脂部材で形成されている。
【００１９】
前記針管４は生体組織に穿刺されて病変組織等の採取を行うものであり、前記シース３内に進退自在に挿通配置される。この針管４は細長で薄肉の例えばステンレスパイプで形成され、先端部は生体組織への穿刺性を考慮した形状に形成されている。
【００２０】
前記スタイレット５は前記針管４の先端部内に採取された病変組織等を押し出すとき等に使用され、前記針管４内に進退自在に挿通配置される。このスタイレット５は、細長な例えばステンレス棒状部材又はニッケルチタン合金製棒状部材で形成され、先端部は前記病変組織等の押し出しを考慮した形状に形成されている。
【００２１】
一方、前記操作部１０は、操作部本体２０と、スライダ３０と、スタイレット操作部４１とで主に構成されている。  
前記操作部本体２０は、摺動部となる例えば樹脂製の本体部材２１と、この本体部材２１の先端部に配設される例えば樹脂製の連結部材２２とで構成されている。この連結部材２２の先端部には、図示しない超音波内視鏡の操作部（以下、内視鏡操作部と記載する）に設けられている口金部に対する着脱性を考慮した取り付け部材２３が設けられている。この取り付け部材２３には、図示しない係合孔と係合解除孔とを有し、長手軸方向に対して直交する方向に移動自在なスライド部材２３ａが備えられている。
【００２２】
前記取り付け部材２３においては、前記口金部にスライド部材２３ａの係合解除孔を係入配置させた状態にして前記操作部１０を取り付けた後、前記スライド部材２３ａを移動させて口金部に対して前記係合解除孔の代わりに係合孔を配置させることによって、前記操作部１０が口金部に対して一体的に固定されるようになっている。
【００２３】
また、前記連結部材２２の先端部からは口金部の開口を介して内視鏡操作部のチャンネル孔（不図示）内に挿通配置される例えばステンレスパイプ製の操作部支持パイプ部材２４が突設している。この操作部支持パイプ部材２４の基端部は、図２に示すように前記連結部材２２の先端部に配設された支持パイプ取り付け部材２５に例えば接着によって一体的に固定されている。この操作部支持パイプ部材２４の内孔には前記挿入部２を構成するシース３が挿通している。
【００２４】
前記操作部支持パイプ部材２４においては、前記口金部に前記操作部１０を一体的に配置させる際に、予め、この操作部支持パイプ部材２４をチャンネル孔内に配置させることによって、前記口金部が弾性を有する樹脂部材等で形成されている場合でも前記操作部１０を安定した状態で内視鏡操作部に取り付けることが可能になる。
【００２５】
さらに、前記連結部材２２の基端部には長手軸方向に対して摺動自在なツマミ部２６が設けられている。このツマミ部２６は、図３に示すように前記連結部材２２に形成されている長手軸方向に細長な長孔２２ａに対して摺動自在に配置されている。前記ツマミ部２６は、この連結部材２２の内部に配置されている摺動部材２７を構成するパイプ固定部材２７ａに螺合によって連結されており、このツマミ部２６を回動させて前記連結部材２２に対して締結状態にすることによって前記パイプ固定部材２７ａがこの連結部材２２に対して固定された状態になる。このパイプ固定部材２７ａの先端部にはシース固定部材２７ｂが螺合配置されるようになっている。つまり、前記摺動部材２７は、このシース固定部材２７ｂとパイプ固定部材２７ａとで構成されている。
【００２６】
前記パイプ固定部材２７ａ及び前記シース固定部材２７ｂのそれぞれの中央部には貫通孔が形成されている。前記パイプ固定部材２７ａの貫通孔には、前記操作部支持パイプ部材２４の基端部内に先端部が配置された例えばステンレスパイプ製の折れ止めパイプ２８の中途部が一体的に固定されている。また、前記シース固定部材２７ｂの貫通孔にはシース３の基端部が一体的に固定されている。前記折れ止めパイプ２８は前記シース３の基端部内に挿通配置されている。なお、折れ止めパイプ２８の基端部は前記スライダ３０内及び前記本体部材２１の基端部に配置される後述するガイドパイプ内に配置されている。
【００２７】
したがって、前記ツマミ部２６を緩めた状態にして前記摺動部材２７を移動させることによって、超音波用穿刺針１の挿入部２を構成するシース３の長さ寸法の調整を行える。そして、前記シース３の基端部に折れ止めパイプ２８を配設したことによって、前記摺動部材２７を摺動させたとき、前記シース３の基端部が操作部１０内で座屈されることなくスムーズに移動して、確実にシース３の長さ調整を行うことができる。
【００２８】
前記図１に示すように前記操作部本体２０にはストッパ部５０が摺動自在に配置されるようになっている。このストッパ部５０は、前記本体部材２１に摺動自在に配置される例えば樹脂製のストッパ本体５１と、このストッパ本体５１に螺合配置される例えば金属製の締結用ネジ５２とで構成されている。前記ストッパ本体５１を前記本体部材２１の所望する位置に配置させた状態にして、前記締結用ネジ５２を締結状態にすることによって、このストッパ本体５１と前記本体部材２１とが一体になる。つまり、ストッパ部５０が操作部本体２０の所望の位置に固定されて、前記スライダ３０の移動距離が設定されることによって、針管４の突出距離が決まる。
【００２９】
また、前記図１に示すように本体部材２１の中途部にはスライダ移動規制手段を構成する長手軸方向に対して直交する周溝２１ａが形成されている。この周溝２１ａには、図４に示すよう前記スライダ移動規制手段を構成する移動規制部材である開口部２９ａを有するＣリング状部材２９が着脱自在に配設されるようになっている。このＣリング状部材２９は、弾性を有する樹脂部材で形成されており、前記開口部２９ａ近傍にはこの開口部２９ａを弾性力に抗して拡開させる際に使用される一対の拡開把持部２９ｂが設けてある。
【００３０】
前記開口部２９ａの幅寸法は、前記周溝２１ａの底部面内径寸法より小さく形成されている。したがって、前記Ｃリング状部材２９を前記周溝２１ａに取り付ける際には前記図４の矢印に示すように開口部２９ａを弾性力に抗して拡開させて周溝２１ａに押し込む。このことによって、Ｃリング状部材２９は周溝２１ａに対して圧入配置される。
【００３１】
前記周溝２１ａに圧入配置された状態の前記Ｃリング状部材２９を周溝２１ａから取り外す際には、前記拡開把持部２９ｂを把持して前記開口部２９ａを弾性力に抗して広げて前記矢印とは逆方向に移動させる。このことによって、前記Ｃリング状部材２９を前記周溝２１ａから取り外せる。なお、本実施形態においては、前記周溝２１ａの形成位置を、超音波内視鏡６０に設けた処置具出口（不図示）の端面から針管４の突出距離が、穿刺針１を使用するに当たって推奨されている針管突出距離となるように設定されている。
【００３２】
前記スライダ３０は、樹脂製のスライダ本体３１と、このスライダ本体３１の基端部に固設される例えば樹脂製の吸引用口金３２と構成されている。前記スライダ本体３１は前記本体部材２１に対して摺動自在に配置されている。前記針管４の基端部は前記吸引用口金３２に固設されている。
【００３３】
図５に示すように前記スライダ本体３１の先端部には、このスライダ本体３１を前記本体部材２１に摺動自在に配置させるための先端部形成部材３３が固設されている。前記本体部材２１の外周面所定位置には突起部２１ｂが設けられている。この突起部２１ｂは、前記先端部形成部材３３の先端面に当接して、この先端部形成部材３３及び吸引用口金３２が一体なスライダ本体３１がさらに先端側に移動することを規制する。
【００３４】
そして、前記先端部形成部材３３に所定の力量以上の負荷を先端側に向けてかけることによって、この先端部形成部材３３は前記突起部２１ｂの係止抵抗に抗して移動されて、前記突起部２１ｂを通過される。このことによって、前記スライダ本体３１は前記突起部２１ｂによる規制が解除されて、前記本体部材２１に対して摺動自在な状態になる。
【００３５】
一方、この摺動自在な状態で、前記先端部形成部材３３に対して所定の力量以上の負荷を基端側に向けてかけることによって、この先端部形成部材３３は前記突起部２１ｂの係止抵抗に抗して移動されて、前記突起部２１ｂを通過する。このことによって、前記スライダ本体３１が前記突起部２１ｂに当接して先端側方向に移動することが規制される。
【００３６】
したがって、本体部材２１の所定の位置に、スライダ３０の先端部を構成する先端部形成部材３３の先端面が当接する突起部２１ｂを設け、この突起部２１ｂに対して前記先端部形成部材３３の先端面が当接する位置関係で配置させることによって、操作部１０に設けられているストッパ部５０がたとえ本体部材２１に対して摺動自在な状態であっても、前記スライダ３０の移動を突起部２１ｂが規制して、不容易に、針管４が突出状態になることを確実に防止することができる。
【００３７】
前記図１に示すように前記スタイレット操作部４１は例えば樹脂部材で形成されており、前記スタイレット５の基端部が固設されている。このスタイレット操作部４１を前記スライダ３０の吸引用口金３２に当接させたとき、前記スタイレット５の先端が二点鎖線に示すように前記針管４の先端面より所定量突出するように、このスタイレット５及び前記針管４の長さ寸法が設定されている。
【００３８】
そして、本実施形態においては、前記周溝２１ａに予めＣリング状部材２９を圧入配置してスライダ３０の移動を規制した状態の超音波用穿刺針１を構成し、その後、この超音波用穿刺針１を滅菌消毒して、図示しない滅菌袋に収納する。
【００３９】
このことによって、滅菌袋に収納されている超音波用穿刺針１を取り出し、この超音波用穿刺針１の挿入部２を図示しない超音波内視鏡の処置具チャンネルに挿通配置させたとき、超音波用穿刺針１の針管４の突出距離は、この超音波用穿刺針１を使用するに当たって推奨されている針管突出距離に移動規制されている。
【００４０】
したがって、この状態において前記スライダ３０を移動させると、図６（ａ）に示すようにこのスライダ３０の先端面を構成する先端部形成部材３３が、ストッパ部５０のストッパ本体５１を介してＣリング状部材２９の側面に当接した状態になる。このとき、図６（ｂ）に示すように針管４は、超音波内視鏡６０に設けた図示しない処置具出口から穿刺針１を使用するに当たって推奨されている針管突出距離だけ突出されて、観察目的部位に対して理想の穿刺を行える。
【００４１】
一方、針管の突出距離を、推奨された突出距離より延長させる場合には、術者は、前記周溝２１ａから前記Ｃリング状部材２９を取り外し、前記スライダ３０の移動規制状態を解除する。そして、図７（ａ）に示すように前記ストッパ部５０の本体部材２１に対する位置調整を行った後、前記スライダ３０を移動させる。このとき、例えば前記ストッパ部５０が前記周溝２１ａをより先端側である前記本体部材２１の最も先端側に移動固定されていた場合には、このスライダ３０の先端面を構成する先端部形成部材３３が、前記ストッパ部５０のストッパ本体５１の側面に当接して、針管４の針管突出距離が最大になる。このとき、図７（ｂ）に示すように針管４は、超音波内視鏡６０に設けた処置具出口から最大突出状態になって、破線で示す観察目的部位を越えた位置にある観察目的部位に対して穿刺を行える。
【００４２】
このように、本実施形態の超音波用穿刺針によれば、術者が、移動規制部材であるＣリング状部材を周溝に配置させたままの状態、或いは、周溝からＣリング状部材を取り外した状態とを適宜選択することによって、針管の突出距離を推奨されている針管突出距離又はその推奨されている針管突出距離より延長させた突出距離に選択的に設定することができる。
【００４３】
このことによって、穿刺針の針管を推奨突出距離で使用する場合には、ストッパ部による突出距離設定の調整を行うことなく穿刺を行えるので、操作性の向上を図れる。
【００４４】
なお、本実施形態においてはＣリング状部材２９の開口部２９ａ近傍に一対の拡開把持部２９ｂを設けて、この開口部２９ａを弾性力に抗して容易に拡開させられる構成を示しているが、図８に示すように拡開把持部２９ｂを取りのぞいた構成のＣリング状部材２９Ａとしてもよい。このことによって、前記拡開把持部２９ｂに思わぬ作用力が働くことによって不用意にＣリング状部材２９が周溝２１ａから脱落されることを確実に防止することができる。
【００４５】
そして、前記Ｃリング状部材２９Ａを周溝２１ａから取り外す際には、例えばペンチ或いは図示しない取り外し治具を使用する。また、図中の破線に示すように前記周溝２１ａの底面の一部にカム部２１ｃを形成して、前記Ｃリング状部材２９Ａの取り外しを容易に行えるようにしてもよい。
【００４６】
また、スライダ移動規制手段は上述した周溝２１ａとＣリング状部材２９、２９Ａとの構成に限定されるものではなく、図９（ａ）ないし図１０（ｃ）に示すように本体部材２１の外周面に所定の溝部７１、７２、７３を設け、この溝部７１、７２、７３に対してストッパ部５０を構成する締結用ネジ５２が摺動するようにして、スライダ移動規制手段を構成するようにしてもよい。
【００４７】
具体的に、図９（ａ）ないし図１０（ｃ）に示すように前記本体部材２１には前記ストッパ部５０を構成する締結用ネジ５２が遊嵌状態で位置される長手軸方向に対して平行な突出距離規制溝部７１及び突出距離延長溝部７３と、この突出距離延長溝部７３と前記突出距離規制溝部７１とを連結するそれぞれの溝部７１、７３に対して直交する切替溝部７２とが形成されている。
【００４８】
前記切替溝部７２は、図９（ａ）、図９（ｂ）、図９（ｃ）及び図１０（ｂ）に示すように本体部材２１の外周面に例えば半周以上に渡って形成されている。前記突出距離規制溝部７１は、図９（ａ）、図９（ｂ）及び図１０（ｃ）に示すように前記切替溝部７２より基端部側に形成されている。前記突出距離延長溝部７３は、図９（ｂ）、図９（ｃ）及び図１０（ａ）に示すように前記切替溝部７２より先端側に形成されている。
【００４９】
前記ストッパ部５０を構成する締結用ネジ５２の先端面が図９（ｂ）の実線に示すように溝部７１、７３の底面に当接して締結固定状態であるとき、前記ストッパ部５０は操作部本体２０に固定されている。
【００５０】
一方、前記締結用ネジ５２の先端面が図９（ｂ）及び図１０（ｂ）の一点鎖線に示すように溝部７１、７２、７３の底面から離れて、この溝部７１、７２、７３内に配置された状態であるときには、前記ストッパ部５０は操作部本体２０に形成されている溝部７１、７２、７３に対して摺動自在な状態になる。
【００５１】
本実施形態においては、前記切替溝部７２を外周面に半周以上に渡って形成したことによって、前記ストッパ部５０が突出距離規制溝部７１に摺動自在な状態で配置されている場合に、このストッパ部５０が重力の作用によってこの突出距離規制溝部７１から切替溝部７２に移動配置されることはあっても、突出距離規制溝部７１から切替溝部７２を経て突出距離延長溝部７３に移動配置されることが防止されている。
【００５２】
したがって、前記ストッパ部５０を構成する締結用ネジ５２の先端部を突出距離規制溝部７１に摺動状態で配置させて、前記スライダ３０を移動させると、図９（ａ）に示すようにストッパ部５０の締結用ネジ５２が突出距離規制溝部７１の先端側壁面又は切替溝部７２の先端側壁面に当接した状態で、かつ図示しないスライダの先端面がストッパ部５０のストッパ本体５１の側面に当接した状態になる。
【００５３】
このとき、前記図６（ｂ）に示すように針管４は、超音波内視鏡６０に設けた処置具出口から穿刺針１を使用するに当たって推奨されている針管突出距離だけ突出されて、観察目的部位に対して理想の穿刺を行える。
【００５４】
一方、針管４の突出距離を、推奨された突出距離より延長させる場合には、術者は、前記ストッパ部５０を突出距離規制溝部７１から切替溝部７２を経て突出距離延長溝部７３に移動させる。そして、このストッパ部５０の本体部材２１に対する位置調整を行って固定させた後、図示しないスライダを移動させる。このとき、例えば前記ストッパ部５０を図９（ｂ）に示すように前記突出距離延長溝部７３の最も先端側に固定させた場合には、このスライダの先端面が、前記ストッパ部５０のストッパ本体５１の側面に当接して、針管４の針管突出距離が最大になって、前記図７（ｂ）に示すように針管４は、超音波内視鏡６０に設けた処置具出口から最大突出状態になって、破線で示す観察目的部位を越えた位置にある観察目的部位に対して穿刺を行える。
【００５５】
このように、本実施形態の超音波用穿刺針によれば、術者が、ストッパ部を適宜、突出距離規制溝部及び切替溝部又は、突出距離延長溝部に選択的に配置させることによって、針管の突出距離を推奨されている針管突出距離又はその推奨されている針管突出距離より延長させた突出距離に設定することができる。  
なお、図１１（ａ）ないし図１１（ｃ）に示すように前記スライダ移動規制手段を、前記本体部材２１に形成される外周面より所定深さ寸法の切り欠き面である移動規制面部７４と、前記本体部材２１に摺動自在に配置されるストッパ本体５１及びこのストッパ本体５１に螺合配置される締結用ネジ５２で構成されるストッパ部５０とを具備して構成するようにしてもよい。符号７５はエア抜き孔である。
【００５６】
このことによって、前記締結用ネジ５２の前記ストッパ本体５１に対する緩める状態を、一点鎖線に示すように僅かに緩めた状態と、大きく緩めた状態とに変化させることによって、ストッパ本体５１を移動規制面部７４上に配置させる状態又は本体部材２１の外周面上に配置させる状態に選択的に切り替えて、針管４の突出距離を推奨されている針管突出距離又はその推奨されている針管突出距離より延長させた突出距離に設定することができる。
【００５７】
また、前記スライダ本体３１に例えば一対の突起部を設け、前記本体部材２１に前記突起部に対応する案内溝を設けて、摺動する構成にしてもよい。
【００５８】
尚、本発明は、以上述べた実施形態のみに限定されるものではなく、発明の要旨を逸脱しない範囲で種々変形実施可能である。
【００５９】
［付記］
以上詳述したような本発明の上記実施形態によれば、以下の如き構成を得ることができる。
【００６０】
（１）処置具挿通用チャンネルに挿通されるシースの基端部が固定される操作部本体と、前記シース内に挿通配置されて生体組織に穿刺される針管の基端部が固定される、前記操作部本体の摺動部に対して摺動自在な、スライダとを具備する超音波用穿刺針であって、
前記摺動部の中途部に、前記スライダの移動距離を所定値に規制するスライダ移動規制手段を設けた超音波用穿刺針。
【００６１】
（２）前記スライダ移動規制手段は、前記スライダの先端面が当接する移動規制部材であって、
この移動規制部材は、前記摺動部の中途部所定位置に形成される長手軸方向に対して直交する周溝に着脱自在に配置される付記１に記載の超音波用穿刺針。
【００６２】
（３）前記移動規制部材は、弾性を有する樹脂部材で断面形状を略Ｃ字形状に形成したＣリング状部材である付記２に記載の超音波用穿刺針。
【００６３】
（４）前記周溝に、前記移動規制部材の取り外し性を考慮したカム部を形成した付記２又は付記３に記載の超音波用穿刺針。
【００６４】
（５）前記Ｃリング状部材の開口部近傍に、この開口部を拡開させるための拡開把持部を設けた付記３に記載の超音波用穿刺針。
【００６５】
（６）前記スライダ移動規制手段は、前記摺動部に形成される長手軸方向に対して平行な２つの溝部及び２つの溝部に直交して連結する溝部と、この摺動部に摺動自在に配置されるストッパ本体及びこのストッパ本体に螺合配置される締結用ネジで構成されるストッパ部とを具備する付記１に記載の超音波用穿刺針。
【００６６】
（７）前記スライダ移動規制手段は、前記摺動部に形成される所定深さ寸法の面部と、前記摺動部に摺動自在に配置されるストッパ本体及びこのストッパ本体に螺合配置される締結用ネジで構成されるストッパ部とを具備する付記１に記載の超音波用穿刺針。
【図面の簡単な説明】
【００６７】
【図１】超音波用穿刺針の構成を説明する図
【図２】操作部支持パイプ部材を説明する図
【図３】シースと折れ止めパイプとの関係を説明する図
【図４】周溝とＣリング状部材との関係を説明する図
【図５】突起部とスライダとの関係を説明する図
【図６】Ｃリング状部材を周溝に配置させた状態における超音波用穿刺針の作用を説明する図
【図７】Ｃリング状部材を周溝から取り外した状態における超音波用穿刺針の作用を説明する図
【図８】周溝に配置される他の構成のＣリング状部材及び周溝の他の構成例を説明する図
【図９】溝部を設けた本体部材の構成を説明する図
【図１０】溝部を設けた本体部材の断面図
【図１１】締結用段部を設けた本体部材の構成とストッパ部との関係を説明する図
【図１２】推奨する針管突出距離での使用例と、推奨される針管突出距離よりも延長させた状態での使用例とを説明する図
【符号の説明】
【００６８】
１…超音波用穿刺針
２０…操作部本体
２１…本体部材
２１ａ…周溝
２９…Ｃリング状部材
３０…スライダ
３１…スライダ本体
３３…先端部形成部材
５０…ストッパ部
５１…ストッパ本体
５２…締結用ネジ
代理人  弁理士    伊藤  進
【図１】
2005137816.tif 000003
【図２】
2005137816.tif 000004
【図３】
2005137816.tif 000005
【図４】
2005137816.tif 000006
【図５】
2005137816.tif 000007
【図６】
2005137816.tif 000008
【図７】
2005137816.tif 000009
【図８】
2005137816.tif 000010
【図９】
2005137816.tif 000011
【図１０】
2005137816.tif 000012
【図１１】
2005137816.tif 000013
【図１２】
2005137816.tif 000014